(57)【要約】【課題】締結力を弱まらせずに、細かい間隔でバンドの締結長さを調節できるようにした結束バンドを提供する。【解決手段】表側Ａと裏側Ｂにそれぞれ鋸歯状の係合歯列１５、１６が形成された可撓性のバンド１２と、該バンドの基端部に設けられ、バンドの自由端側を挿通させる挿通孔１３を有したバックル部１０とを有し、挿通孔の内面に、バンドの表側の係合歯列の任意の歯１５ａ、１５ｂと係合することでバンドの戻り方向の移動を阻止する表用係合爪２５と、バンドの裏側の係合歯列の任意の歯１６ａ、１６ｂと係合することでバンドの戻り方向の移動を阻止する裏用係合爪２６とが設けられた結束バンドにおいて、バンドの表側の係合歯列と裏側の係合歯列の各歯を同一ピッチＨで且つ半ピッチ分Ｓ（＝Ｈ／２）ずらして形成し、表用係合爪と裏用係合爪を、バンド挿入方向Ｙにおける位置を揃えて形成した。【選択図】図１
2010001043.tif 000002
【特許請求の範囲】
【請求項１】
表側と裏側にそれぞれ鋸歯状の係合歯列が形成された可撓性のバンドと、該バンドの基端部に設けられ、バンドの自由端側を挿通させる挿通孔を有したバックル部とを有し、前記挿通孔の内面に、前記バンドの表側の係合歯列の任意の歯と係合することでバンドの戻り方向の移動を阻止する表用係合爪と、前記バンドの裏側の係合歯列の任意の歯と係合することでバンドの戻り方向の移動を阻止する裏用係合爪とが設けられた結束バンドにおいて、
前記バンドの表側の係合歯列と裏側の係合歯列の各歯を同一ピッチで且つ半ピッチ分ずらして形成し、前記表用係合爪と裏用係合爪を、前記バンドの挿入方向における位置を揃えて形成したことを特徴とする結束バンド。
【請求項２】
表側と裏側にそれぞれ鋸歯状の係合歯列が形成された可撓性のバンドと、該バンドの基端部に設けられ、バンドの自由端側を挿通させる挿通孔を有したバックル部とを有し、前記挿通孔の内面に、前記バンドの表側の係合歯列の任意の歯と係合することでバンドの戻り方向の移動を阻止する表用係合爪と、前記バンドの裏側の係合歯列の任意の歯と係合することでバンドの戻り方向の移動を阻止する裏用係合爪とが設けられた結束バンドにおいて、
前記バンドの表側の係合歯列と裏側の係合歯列の各歯を同一ピッチで同じ位置に揃えて形成し、前記表用係合爪と裏用係合爪を、前記係合歯列の半ピッチ分だけ前記バンドの挿入方向に位置をずらして形成したことを特徴とする結束バンド。
【請求項３】
請求項１または２に記載の結束バンドであって、
前記係合歯列が、歯として、同形状逆向きの凸部と凹部を交互に配列して形成したものであり、前記凸部のバンドの挿入方向における前面に後傾した傾斜面が設けられ、前記凸部のバンドの挿入方向における後面にバンドの挿入方向に対して略垂直な係合面が設けられ、
前記バックル部に形成された表用係合爪と裏用係合爪に、該バックル部に前記バンドが挿入されてくる方向を前方とした場合、前面に前記バンド側の凸部の傾斜面に合わせた後傾した傾斜壁が設けられると共に、後面に前記バンド側の凸部の係合面に係止するバンドの挿入方向に対して略垂直な係止壁が設けられていることを特徴とする結束バンド。
【請求項４】
請求項３に記載の結束バンドであって、
前記表用係合爪と裏用係合爪が、前記挿入孔の互いに対向する内面に設けられた一対の可撓片にそれぞれ形成され、該各可撓片が、前記表用係合爪と裏用係合爪の先端間に確保された前記バンドの挿入通路を開く方向に撓み可能に形成されていることを特徴とする結束バンド。
【請求項５】
請求項３または４に記載の結束バンドであって、
前記表用係合爪と裏用係合爪が、前記バンドの挿入方向の前後方向に、前記係合歯列のピッチと等しい間隔をあけて複数設けられていることを特徴とする結束バンド。
【発明の詳細な説明】
【技術分野】
【０００１】
本発明は、ワイヤーハーネス等を結束するための結束バンドに関するものである。
【背景技術】
【０００２】
従来、図３に示すような結束バンドが知られている。この結束バンドは、片面に鋸歯状の係合歯列９５を形成したバンド９２の基端側に、バンド９２の自由端側を挿通させる挿通孔９３を有したバックル部９０を一体に形成し、挿通孔９３の内面に、バンド９２の係合歯列９５の任意の歯（凸部９５ａと凹部９５ｂ）と係合することでバンド９２の戻り方向の移動を阻止する係合爪９６を形成したものである。
【０００３】
この結束バンドを使用する場合は、バンド９２の自由端側をバックル部９０の挿通孔９３に、決まった挿入方向Ｙから挿入する。そうすると、係合歯列９５の任意の歯（凸部９５ａと凹部９５ｂ）に係合爪９６が係合することで、バンド９２を適当な大きさのループで固定することができる。
【０００４】
また、図４は、例えば特許文献１に記載された別の従来の結束バンドを示す。この結束バンドでは、バンド１０２の表面と裏面に同様な配列の一定ピッチＨの係合歯列１０５をそれぞれ形成し、バックル部１０１の挿通孔１０３の内面に、表面と裏面の係合歯列１０５にそれぞれ係合する係合爪１０４を設けている。
【０００５】
また、図５は、例えば特許文献１に記載された更に別の従来の結束バンドを示す。この結束バンドでは、バンド１０２の表裏面の左右半分に、ピッチＨを半分ずつずらした２列の係合歯列１０６、１０７をそれぞれ形成し、バックル部１０１の挿通孔１０３に、左側の係合歯列１０６と右側の係合歯列１０７にそれぞれ係合する係合爪１１６、１１７を設けている。
【特許文献１】特開平１０−１４７３６１号公報（図７、図８）
【発明の開示】
【発明が解決しようとする課題】
【０００６】
ところで、図３や図４に示す結束バンドの場合、係合歯列９５、１０５のピッチ毎にバンド９２、１０２を固定するので、ピッチを細かく刻まないと、細かくバンド９２、１０２の締結長さを調節できないが、ピッチを細かくすると、係合歯列の歯の高さが低くなり、係合力が弱くなるという問題がある。また、あまり細かくないピッチで係合歯列を刻んだ場合、バンド９２、１０２の締結長さの調節が大まかになるため、結束したワイヤーハーネスが馴染んできた際に、締め付けが弱くなり、ワイヤーハーネスがずれる可能性もある。
【０００７】
その点、図５に示す結束バンドは、バンド１０２の左右で半ピッチずつ係合歯列１０６、１０７の歯の位置をずらしているので、同じピッチで係合歯列を刻んでも、バンド１０２の長さ調節を半ピッチずつ行うことができる。しかし、左右で半ピッチずつずらした場合、バンド１０２の左半分が係合しているとき、右半分が係合していない状態となるため、バンド１０２に捩れが生じたりして、係合が弛む可能性がある。
【０００８】
本発明は、上記事情を考慮し、締結力を弱まらせずに、細かい間隔でバンドの締結長さを調節できるようにした結束バンドを提供することを目的とする。
【課題を解決するための手段】
【０００９】
請求項１の発明は、表側と裏側にそれぞれ鋸歯状の係合歯列が形成された可撓性のバンドと、該バンドの基端部に設けられ、バンドの自由端側を挿通させる挿通孔を有したバックル部とを有し、前記挿通孔の内面に、前記バンドの表側の係合歯列の任意の歯と係合することでバンドの戻り方向の移動を阻止する表用係合爪と、前記バンドの裏側の係合歯列の任意の歯と係合することでバンドの戻り方向の移動を阻止する裏用係合爪とが設けられた結束バンドにおいて、前記バンドの表側の係合歯列と裏側の係合歯列の各歯を同一ピッチで且つ半ピッチ分ずらして形成し、前記表用係合爪と裏用係合爪を、前記バンドの挿入方向における位置を揃えて形成したことを特徴とする。
【００１０】
請求項２の発明は、表側と裏側にそれぞれ鋸歯状の係合歯列が形成された可撓性のバンドと、該バンドの基端部に設けられ、バンドの自由端側を挿通させる挿通孔を有したバックル部とを有し、前記挿通孔の内面に、前記バンドの表側の係合歯列の任意の歯と係合することでバンドの戻り方向の移動を阻止する表用係合爪と、前記バンドの裏側の係合歯列の任意の歯と係合することでバンドの戻り方向の移動を阻止する裏用係合爪とが設けられた結束バンドにおいて、前記バンドの表側の係合歯列と裏側の係合歯列の各歯を同一ピッチで同じ位置に揃えて形成し、前記表用係合爪と裏用係合爪を、前記係合歯列の半ピッチ分だけ前記バンドの挿入方向に位置をずらして形成したことを特徴とする。
【００１１】
請求項３の発明は、請求項１または２に記載の結束バンドであって、前記係合歯列が、歯として、同形状逆向きの凸部と凹部を交互に配列して形成したものであり、前記凸部のバンドの挿入方向における前面に後傾した傾斜面が設けられ、前記凸部のバンドの挿入方向における後面にバンドの挿入方向に対して略垂直な係合面が設けられ、前記バックル部に形成された表用係合爪と裏用係合爪に、該バックル部に前記バンドが挿入されてくる方向を前方とした場合、前面に前記バンド側の凸部の傾斜面に合わせた後傾した傾斜壁が設けられると共に、後面に前記バンド側の凸部の係合面に係止するバンドの挿入方向に対して略垂直な係止壁が設けられていることを特徴とする。
【００１２】
請求項４の発明は、請求項３に記載の結束バンドであって、前記表用係合爪と裏用係合爪が、前記挿入孔の互いに対向する内面に設けられた一対の可撓片にそれぞれ形成され、該各可撓片が、前記表用係合爪と裏用係合爪の先端間に確保された前記バンドの挿入通路を開く方向に撓み可能に形成されていることを特徴とする。
【００１３】
請求項５の発明は、請求項３または４に記載の結束バンドであって、前記表用係合爪と裏用係合爪が、前記バンド挿入方向の前後方向に、前記係合歯列のピッチと等しい間隔をあけて複数設けられていることを特徴とする。
【発明の効果】
【００１４】
請求項１の発明によれば、次の効果を得ることができる。
【００１５】
即ち、バンドの表側の係合歯列と裏側の係合歯列が半ピッチずれているから、表側の係合歯列がバックル部の表用係合爪と正しく係合しているとき、裏側の係合歯列は、バックル部の裏用係合爪に対して半ピッチずれた状態（半係合状態）にある。また、その状態から、バンドが半ピッチ分だけ移動すると、今度は、裏側の係合歯列がバックル部の裏用係合爪と正しく係合し、表側の係合歯列が、バックル部の表用係合爪に対して半ピッチずれた状態（半係合状態）となる。
【００１６】
このように、バンドの半ピッチ分の移動毎に、表側と裏側の係合歯列及び係合爪が交互に係合することになる。従って、半ピッチずつの細かい間隔で、バンドの締結長さを調節することができるようになる。
【００１７】
この場合、バンドの係合歯列のピッチは、バンドの締結長さを調節する間隔の２倍に設定できるから、係合歯列の歯の高さを特に小さくする必要がなく、また、表側か裏側のいずれかは半係合状態にあるものの、反対側は正しい係合状態を維持できることになるので、十分な係合力を発揮することができ、締結強度が不足するおそれはない。また、バンドの左右でバランスが崩れることがなく、バンドに無用な捩れが起きる心配もないので、安定した係合状態を維持できる。
【００１８】
そのため、締結強度を弱めずに、細かい間隔で締結することが可能となり、ワイヤーハーネスを束ねる際の作業性の向上が図れる。また、細かい間隔で調節できることから、適切な締め付け力でワイヤーハーネスを束ねることができ、ワイヤーハーネスが馴染んできた際のズレ防止を図ることができる。
【００１９】
請求項２の発明によれば、次の効果を得ることができる。即ち、バックル部の表用係合爪と裏用係合爪が半ピッチずれて位置しているから、表側の係合歯列がバックル部の表用係合爪と正しく係合しているとき、裏側の係合歯列は、バックル部の裏用係合爪に対して半ピッチずれた状態（半係合状態）にある。また、その状態から、バンドが半ピッチ分だけ移動すると、今度は、裏側の係合歯列がバックル部の裏用係合爪と正しく係合し、表側の係合歯列が、バックル部の表側係合爪に対して半ピッチずれた状態（半係合状態）となる。
【００２０】
このように、バンドの半ピッチ分の移動毎に、表側と裏側の係合歯列及び係合爪が交互に係合することになる。従って、半ピッチずつの細かい間隔で、バンドの締結長さを調節することができるようになる。
【００２１】
この場合、バンドの係合歯列のピッチは、バンドの締結長さを調節する間隔の２倍に設定できるから、係合歯列の歯の高さを特に小さくする必要がなく、また、表側か裏側のいずれかは半係合状態にあるものの、反対側は正しい係合状態を維持できることになるので、十分な係合力を発揮することができ、締結強度が不足するおそれはない。また、バンドの左右でバランスが崩れることがなく、バンドに無用な捩れが起きる心配もないので、安定した係合状態を維持できる。
【００２２】
そのため、締結強度を弱めずに、細かい間隔で締結することが可能となり、ワイヤーハーネスを束ねる際の作業性の向上が図れる。また、細かい間隔で調節できることから、適切な締め付け力でワイヤーハーネスを束ねることができ、ワイヤーハーネスが馴染んできた際のズレ防止を図ることができる。
【００２３】
請求項３の発明によれば、バックル部の挿入孔にバンドの自由端側を挿入すると、バックル部の係合爪の傾斜壁に対し係合歯列の凸部の傾斜面が摺動することで、凸部が係合爪を乗り越え、凸部の係合面と係合爪の係止壁が係合することで、戻り方向に移動しないようにバンドが係止される。従って、バンドの挿入は容易にできるが、いったん挿入して係合歯列と係合爪が係合すると、確実に戻り方向に移動しないように、バンドを締結することができる。
【００２４】
請求項４の発明によれば、バックル部の挿入孔の対向内面に可撓片を設け、それら各可撓片に表用係合爪と裏用係合爪をそれぞれ設け、可撓片の撓みにより、表用係合爪と裏用係合爪の先端間に確保されたバンド挿入通路を開くようにしているので、可撓片の撓みを利用して容易にバンドをバックル部に挿入し係止することができる。
【００２５】
請求項５の発明によれば、表用係合爪と裏用係合爪を、バンド挿入方向の前後方向に複数設けたので、強い係合力を発揮することができる。また、複数の係合爪があるから、耐久性の向上も図れる。
【発明を実施するための最良の形態】
【００２６】
以下、本発明の実施形態を図面を参照しながら説明する。
【００２７】
図１は第１実施形態の結束バンドＭ１の構成を示す図で、図１（ａ）は全体側断面図、図１（ｂ）は図１（ａ）のＩｂ部の拡大図、図１（ｃ）は図１（ａ）のＩｃ部の拡大図である。
【００２８】
この結束バンドＭ１は、軟質樹脂で一体成形されたもので、表側Ａと裏側Ｂにそれぞれ鋸歯状の係合歯列１５、１６が形成された可撓性のバンド１２と、該バンド１２の基端部に設けられ、バンド１２の自由端側を挿通させる挿通孔１３を有したバックル部１０と、バックル部１０にに設けられたクリップ部１８及びスカート部１９を有する。クリップ部１８及びスカート部１９は、車体パネル等のパネルの貫通孔に結束バンドＭ１を固定するための部分である。
【００２９】
挿通孔１３の内面には、バンド１２の表側の係合歯列１５の任意の歯と係合することでバンド１２の戻り方向（矢印Ｙと反対方向）の移動を阻止する表用係合爪２５と、バンド１２の裏側の係合歯列１６の任意の歯と係合することでバンド１２の戻り方向（矢印Ｙと反対方向）の移動を阻止する裏用係合爪２６とが設けられている。
【００３０】
表用係合爪２５と裏用係合爪２６は、挿通孔１３の互いに対向する内面に設けられた一対の可撓片２１、２２にそれぞれ形成され、該各可撓片２１、２２が、表用係合爪２５と裏用係合爪２６の先端間に確保されたバンド１２の挿入通路１３ａを開く方向に撓み可能に形成されている。
【００３１】
また、表用係合爪２５と裏用係合爪２６は、バンド１２の挿入方向Ｙの前後方向に、係合歯列１５、１６のピッチＨと等しい間隔Ｈをあけて複数設けられている。
【００３２】
この場合、バンド１２の表側Ａの係合歯列１５と裏側Ｂの係合歯列１６の各歯は同一ピッチＨで且つ半ピッチ分（Ｓ＝Ｈ／２）ずらして形成されており、表用係合爪２５と裏用係合爪２６は、バンド１２の挿入方向Ｙにおける位置を揃えて形成されている。
【００３３】
また、係合歯列１５、１６は、歯として、同形状逆向きの凸部１５ａ、１６ａと凹部１５ｂ、１６ｂを交互に配列して形成したものであり、凸部１５ａ、１６ａのバンド挿入方向Ｙにおける前面には、後傾した傾斜面１５ｃ、１６ｃが設けられ、凸部１５ａ、１６ａのバンド挿入方向Ｙにおける後面には、バンド挿入方向Ｙに対して略垂直な係合面１５ｄ、１６ｄが設けられている。
【００３４】
また、バックル部１０に形成された表用係合爪２５と裏用係合爪２６には、バックル部１０にバンド１２が挿入されてくる方向を前方とした場合、前面に、バンド側の凸部１５ａ、１６ａの傾斜面１５ｃ、１６ｃに合わせた後傾した傾斜壁２５ｃ、２６ｃが設けられると共に、後面に、バンド側の凸部１５ａ、１６ａの係合面１５ｄ、１６ｄに係止するバンド挿入方向Ｙに対して略垂直な係止壁２５ｄ、２６ｄが設けられている。
【００３５】
以上の構成により、次の効果を得ることができる。
【００３６】
即ち、バンド１２の表側Ａの係合歯列１５と裏側Ｂの係合歯列１６が半ピッチずれているから、表側の係合歯列１５がバックル部１０の表用係合爪２５と正しく係合しているとき、裏側の係合歯列１６は、バックル部１０の裏用係合爪２６に対して半ピッチずれた状態（半係合状態）にある。また、その状態から、バンド１２が半ピッチ分だけ移動すると、今度は、裏側の係合歯列１６がバックル部１０の裏用係合爪２６と正しく係合し、表側の係合歯列１５が、バックル部１０の表用係合爪２５に対して半ピッチずれた状態（半係合状態）となる。
【００３７】
このように、バンド１２の半ピッチ分の移動毎に、表側と裏側の係合歯列１５、１６及び係合爪２５、２６が交互に係合することになる。従って、半ピッチずつの細かい間隔で、バンド１２の締結長さを調節することができるようになる。
【００３８】
この場合、バンド１２の係合歯列１５、１６のピッチＨは、バンド１２の締結長さを調節する間隔の２倍に設定できるから、係合歯列１５、１６の歯（凸部１５ａ、１６ａ及び凹部１５ｂ、１６ｂ）の高さを特に小さくする必要がなく、また、表側Ａか裏側Ｂのいずれかは半係合状態にあるものの、反対側は正しい係合状態を維持できることになるので、十分な係合力を発揮することができ、締結強度が不足するおそれはない。
【００３９】
また、図５の例と違い、バンド１２の左右でバランスが崩れることがないので、バンド１２に無用な捩れが起きる心配もなく、安定した係合状態を維持できる。
【００４０】
そのため、締結強度を弱めずに、細かい間隔で締結することが可能となり、ワイヤーハーネスを束ねる際の作業性の向上が図れる。また、細かい間隔で調節できることから、適切な締め付け力でワイヤーハーネスを束ねることができ、ワイヤーハーネスが馴染んできた際のズレ防止を図ることができる。
【００４１】
また、本実施形態の結束バンドＭ１では、バックル部１０の挿通孔１３にバンド１２の自由端側を挿入すると、バックル部１０の係合爪２５、２６の傾斜壁２５ｃ、２６ｃに対し係合歯列１５、１６の凸部１５ａ、１６ａの傾斜面１５ｃ、１６ｃが摺動することで、凸部１５ａ、１６ａが係合爪２５、２６を乗り越え、凸部１５ａ、１６ａの係合面１５ｄ、１６ｄと係合爪２５、２６の係止壁２５ｄ、２６ｄが係合することで、戻り方向に移動しないようにバンド１２が係止される。従って、バンド１２の挿入は容易にできるが、いったん挿入して係合歯列１５、１６と係合爪２５、２６が係合すると、確実に戻り方向に移動しないように、バンド１２を締結することができる。
【００４２】
また、本実施形態の結束バンドＭ１では、バックル部１０の挿通孔１３の対向内面に可撓片２１、２２を設け、それら各可撓片２１、２２に表用係合爪２５と裏用係合爪２６をそれぞれ設け、可撓片２１、２２の撓みにより、表用係合爪２５と裏用係合爪２６の先端間に確保されたバンド挿入通路１３ａを開くようにしているので、可撓片２１、２２の撓みを利用して容易にバンド１２をバックル部１０に挿入し係止することができる。また、表用係合爪２５と裏用係合爪２６を、バンド挿入方向Ｙの前後方向に複数設けているので、強い係合力を発揮することができるし、複数の係合爪が２５、２６あるから、耐久性の向上も図れる。
【００４３】
図２は第２実施形態の結束バンドＭ２の構成を示す図で、図２（ａ）は全体側断面図、図２（ｂ）は図２（ａ）のＩＩｂ部の拡大図、図２（ｃ）は図２（ａ）のＩＩｃ部の拡大図である。
【００４４】
この結束バンドＭ２では、バンド１２Ｂの表側Ａの係合歯列１５と裏側Ｂの係合歯列１６の各歯（凸部１５ａ、１６ａ及び凹部１５ｂ、１６ｂ）を、同一ピッチＨで同じ位置に揃えて形成し、バックル部１０Ｂの表用係合爪２５と裏用係合爪２６を、係合歯列１５、１６の半ピッチ分（Ｓ＝Ｈ／２）だけバンド挿入方向Ｙに位置をずらして形成している。それ以外の構成は、第１実施形態の結束バンドＭ１と同様である。
【００４５】
このように構成した場合も、第１実施形態と同様の効果を奏することができる。
【図面の簡単な説明】
【００４６】
【図１】本発明の第１実施形態の結束バンドの構成を示す図で、（ａ）は全体側断面図、（ｂ）は（ａ）のＩｂ部の拡大図、（ｃ）は（ａ）のＩｃ部の拡大図である。
【図２】本発明の第２実施形態の結束バンドの構成を示す図で、（ａ）は全体側断面図、（ｂ）は（ａ）のＩＩｂ部の拡大図、（ｃ）は（ａ）のＩＩｃ部の拡大図である。
【図３】従来の結束バンドの第１例を示す側断面図である。
【図４】従来の結束バンドの第２例を示す正面図である。
【図５】従来の結束バンドの第３例を示す正面図である。
【符号の説明】
【００４７】
Ｍ１，Ｍ２  結束バンド
Ａ  表側
Ｂ  裏側
Ｈ  ピッチ
１０，１０Ｂ  バックル部
１２，１２Ｂ  バンド
１３  挿通孔
１３ａ  バンドの挿入通路
１５  表側の係合歯列
１６  裏側の係合歯列
１５ａ，１６ａ  凸部（歯）
１５ｂ，１６ｂ  凹部（歯）
１５ｃ，１６ｃ  傾斜面
１５ｄ，１６ｄ  係合面
２１，２２  可撓片
２５  表用係合爪
２６  裏用係合爪
【図１】
2010001043.tif 000003
【図２】
2010001043.tif 000004
【図３】
2010001043.tif 000005
【図４】
2010001043.tif 000006
【図５】
2010001043.tif 000007